(57)【要約】【課題】ドラム缶を傷付けることなく開閉可能なドラム缶の蓋開閉治具を提供する。【解決手段】ドラム缶Ｄに設けられた大蓋２及び小蓋３を開閉するドラム缶Ｄの蓋開閉治具１であって、ハンドル部１１と、ハンドル部１１の一端側に設けられ、ドラム缶Ｄの大蓋２に設けられる凸部２ｃと嵌合する大蓋嵌合部１２と、大蓋嵌合部１２の内側に設けられ、ドラム缶Ｄの小蓋３に設けられる溝３ｃと嵌合する小蓋嵌合部１３と、を備え、小蓋嵌合部１３の上部１３ｂが、大蓋嵌合部１２の上部１２ｃよりも突出している。【選択図】図１
2010195460.tif 000002
【特許請求の範囲】
【請求項１】
ドラム缶に設けられた大小２つのねじ蓋を開閉するドラム缶の蓋開閉治具であって、
ハンドル部と、
前記ハンドル部の一端側に設けられ、前記ドラム缶の大蓋に設けられる被嵌合部と嵌合する大蓋用嵌合部と、
前記大蓋用嵌合部の内側に設けられ、前記ドラム缶の小蓋に設けられる被嵌合部と嵌合する小蓋用嵌合部と、を備え、
前記小蓋用嵌合部の上端部が、前記大蓋用嵌合部の上端部よりも突出していることを特徴とするドラム缶の蓋開閉治具。
【請求項２】
前記小蓋用嵌合部には、直線状に突出した突起部が設けられ、前記大蓋用嵌合部には、前記突起部の周囲を取り囲む円筒部と、前記円筒部の端部に形成される切欠きと、が設けられていることを特徴とする請求項１に記載の蓋開閉治具。
【発明の詳細な説明】
【技術分野】
【０００１】
本発明は、ドラム缶に設けられている大小の２つの蓋を開閉するドラム缶の蓋開閉治具に関する。
【背景技術】
【０００２】
ドラム缶には、通常、大小２つのねじ蓋が設けられている。径の異なる２つのねじ蓋を開閉するための治具が知られており、例えば、棒状のハンドルの両端部にそれぞれ、大径のねじ蓋を開閉させる大爪と、小径のねじ蓋を開閉させる小爪とが設けられているもの（特許文献１参照。）や、嵌合部が大小２つのねじ蓋にそれぞれ設けられている突片に係合できるように同心円状に設けられているもの（特許文献２参照。）がある。
【先行技術文献】
【特許文献】
【０００３】
【特許文献１】特開平９−２７２０６４号公報
【特許文献２】実開平５−８５５５７号公報
【発明の概要】
【発明が解決しようとする課題】
【０００４】
ハンドルの両端部に開閉手段を設けると、ハンドルを持ち替える必要が生じるため作業者に負担となる。一方、同心円状に設けられている場合には持ち替えることなく作業はできるが、小径のねじ蓋を開閉する際に大径用の開閉手段によりドラム缶が傷付くおそれがある。
【０００５】
そこで、本発明はドラム缶を傷付けることなく開閉可能なドラム缶の蓋開閉治具を提供することを目的とする。
【課題を解決するための手段】
【０００６】
本発明の蓋開閉治具は、ドラム缶（Ｄ）に設けられた大小２つのねじ蓋（２、３）を開閉するドラム缶の蓋開閉治具（１）であって、ハンドル部（１１）と、前記ハンドル部の一端側に設けられ、前記ドラム缶の大蓋（２）に設けられる被嵌合部（２ｃ）と嵌合する大蓋用嵌合部（１２）と、前記大蓋用嵌合部の内側に設けられ、前記ドラム缶の小蓋（３）に設けられる被嵌合部（３ｃ）と嵌合する小蓋用嵌合部（１３）と、を備え、前記小蓋用嵌合部の上端部（１３ｂ）が、前記大蓋用嵌合部の上端部（１２ｃ）よりも突出していることにより上記課題を解決する。
【０００７】
本発明の蓋開閉治具によれば、ドラム缶の大蓋の開閉時には、大蓋用嵌合部を大蓋の被嵌合部に嵌合させて回転させることにより大蓋を開閉する。一方の小蓋の開閉には、小蓋に設けられた被嵌合部に小蓋用嵌合部を嵌合させて回転させる。小蓋用嵌合部が大蓋用嵌合部よりも突出しているので小蓋の開閉時に小蓋用嵌合部の外側に設けられる大蓋用嵌合部がドラム缶に接触して、ドラム缶を傷付けることがない。また、同一の側に大蓋用嵌合部及び小蓋用嵌合部が設けられているので、使用時に作業者が持ち替えることなく大蓋及び小蓋を開閉することができる。
【０００８】
本発明の蓋開閉治具の一形態において、前記小蓋用嵌合部には、直線状に突出した突起部（１３ａ）が設けられ、前記大蓋用嵌合部には、前記突起部の周囲を取り囲む円筒部（１２ａ）と、前記円筒部の端部に形成される切欠き（１２ｂ）と、が設けられていてもよい。この形態によれば、突起部の周囲を円筒部が取り囲んでいるので、比較的細く突出した突起部は円筒部により保護される。従って、引っ掛かり等の不測のトラブルから回避できる。
【０００９】
なお、以上の説明では本発明の理解を容易にするために添付図面の参照符号を括弧書きにて付記したが、それにより本発明が図示の形態に限定されるものではない。
【発明の効果】
【００１０】
以上、説明したように、本発明のドラム缶の蓋開閉治具においては、ドラム缶の大蓋の開閉時には、大蓋用嵌合部を大蓋の被嵌合部に嵌合させて回転させることにより大蓋を開閉する。一方の小蓋の開閉には、小蓋に設けられた被嵌合部に小蓋用嵌合部を嵌合させて回転させる。小蓋用嵌合部が大蓋用嵌合部よりも突出しているので小蓋の開閉時に小蓋用嵌合部の外側に設けられる大蓋用嵌合部がドラム缶に接触して、ドラム缶を傷付けることがない。また、同一の側に大蓋用嵌合部及び小蓋用嵌合部が設けられているので、使用時に作業者が持ち替えることなく大蓋及び小蓋を開閉することができる。
【図面の簡単な説明】
【００１１】
【図１】本発明の一形態に係るドラム缶の蓋開閉治具を示す斜視図。
【図２】蓋開閉治具の要部の側面図。
【図３】蓋開閉治具の使用時の様子を示す図。
【図４】大蓋の斜視図。
【図５】小蓋の斜視図。
【発明を実施するための形態】
【００１２】
図１は、本発明の一形態に係るドラム缶の蓋開閉治具を示す斜視図である。蓋開閉治具１は、図３に示すようなドラム缶Ｄに設けられている大蓋２及び小蓋３を開閉するための治具である。図４に大蓋２の斜視図、図５に小蓋３の斜視図をそれぞれ示す。大蓋２及び小蓋３は、大小のねじ蓋で、ドラム缶Ｄに対して回転させることで開閉する。ドラム缶Ｄには、各種油類等の液体が保存される。大蓋２はドラム缶Ｄ内部の液体の出入り口に栓をし、小蓋３は内部の液体が出入りする際の空気の出入り口に栓をする。大蓋２には、ドラム缶Ｄと噛み合うねじ溝２ａが外周面に設けられ、ねじ溝２ａの内側には、蓋開閉治具１と嵌合する大蓋被嵌合部２ｂが設けられている。小蓋３にも同様に、ドラム缶Ｄと噛み合うねじ溝３ａが外周面に設けられ、ねじ溝３ａの内側には、蓋開閉治具１と嵌合する小蓋被嵌合部３ｂが設けられている。
【００１３】
蓋開閉治具１は、一方向に延びるハンドル部１１と、ハンドル部１１の一端側に設けられて大蓋被嵌合部２ｂと嵌合する大蓋用嵌合部としての大蓋嵌合部１２と、大蓋嵌合部１２の内側に設けられて小蓋被嵌合部３ｂと嵌合する小蓋用嵌合部としての小蓋嵌合部１３とを備えている。蓋開閉治具１は、金属製で、各部材が接合されて一体的に構成されている。ハンドル部１１の一端側には、円形板状のベース部１４が設けられ、大蓋嵌合部１２及び小蓋嵌合部１３はベース部１４の同一の面に設けられている。
【００１４】
大蓋嵌合部１２は、大蓋２のねじ溝２ａの内側に挿入可能な円筒部１２ａと、円筒部１２ａの端部の二箇所に設けられる切欠き１２ｂとを有する。切欠き１２ｂは、円筒部１２ａの端部を半円形に切り取って形成されている。切欠き１２ｂは、大蓋被嵌合部２ｂの２つの被嵌合部としての凸部２ｃに対応して設けられている。凸部２ｃは、大蓋２の内周面に互いに向かい合うようにして設けられている。切欠き１２ｂの側面が凸部２ｃの側面と接触して回転力を付与することで大蓋２を開閉する。小蓋嵌合部１３は、突起部１３ａを有する。一方の小蓋被嵌合部３ｂは、コの字型の部材の中央部分が小蓋３の内側底面と固定されており、これにより形成された被嵌合部としての溝３ｃに突起部１３ａが嵌め合い可能に形成される。突起部１３ａは、その両側が二面取りされた直線状の突起で、溝３ｃに嵌め合わせて回転させることで小蓋３を開閉する。
【００１５】
小蓋嵌合部１３の突起部１３ａは、大蓋嵌合部１２の円筒部１２ａの内側に位置する。このため、ベース部１４に対して突出した突起部１３ａを円筒部１２ａが取り囲むことにより、突起部１３ａを円筒部１２ａが保護する役割も有している。図２に蓋開閉治具１の要部の側面図を示す。突起部１３ａの上端部としての上部１３ｂは、円筒部１２ａの上端部としての上部１２ｃよりも高さｈの分だけ突出している。なお、突起部１３ａは、六角形状の部材を二面取りすることで形成され、さらに円形状の部材を介してベース部１４と連結されている。六角形状の部材だと二面取りの加工時に固定が容易で、加工しやすいためである。
【００１６】
蓋開閉治具１の作用を説明する。ドラム缶Ｄに対して大蓋２を取り外し、あるいは取り付ける場合には、円筒部１２ａを大蓋２に挿入し、大蓋被嵌合部２ｂの凸部２ｃと切欠き１２ｂとを嵌め合わせ、ベース部１４を中心にハンドル部１１を回動あるいは回転させることで大蓋２を開閉する。小蓋３の場合には、突起部１３ａを小蓋３の溝３ｃに嵌め合わせ、大蓋２と同様にハンドル部１１を操作することにより開閉できる。小蓋２の開閉の際に、円筒部１２ａが小蓋３の外側に位置することになるが、突起部１３ａの上部１３ｂが円筒部１２ａの上部１２ｃよりも突出しているので、円筒部１２ａがドラム缶Ｄに接触することなく小蓋３の開閉が可能である。従って、ドラム缶Ｄを傷付けることなく小蓋３を開閉できる。また、ベース部１４の一方の面に各嵌合部１２、１３が設けられているので、作業者は蓋開閉治具１を持ち替えることなく蓋開閉作業を行うことができ、効率的である。
【００１７】
本発明は、上述した形態に限定されることなく、種々の形態にて実施することができる。例えば、本形態では、ハンドル部１１の形状を一方向に延びる棒状として説明したが、これに限られず、Ｔ字状等各種の形状で構成してもよい。また、切欠き１２ｂの形状を半円形状として説明したが、これに限られず、各種形状に形成してよい。適宜の形状としても凸部２ｃと噛み合えば大蓋２を開閉することができる。大蓋被嵌合部２ｂと切欠き１２ｂとの嵌合、及び小蓋被嵌合部３ｂと突起部１３ａとの嵌合は、それぞれ遊びがあってもよい。互いに引っ掛けることができれば蓋開閉治具１は大蓋２及び小蓋３を開閉することができる。突起部１３ａの形状についても直線状に限られず、小蓋被嵌合部３ｂの形状に応じて適宜変更してよい。
【符号の説明】
【００１８】
１  蓋開閉治具
２  大蓋
２ｂ  大蓋被嵌合部
２ｃ  凸部（被嵌合部）
３  小蓋
３ｂ  小蓋被嵌合部
３ｃ  溝（被嵌合部）
１１  ハンドル部
１２  大蓋嵌合部（大蓋用嵌合部）
１２ａ  円筒部
１２ｂ  切欠き
１２ｃ  上部（上端部）
１３  小蓋嵌合部（小蓋用嵌合部）
１３ａ  突起部
１３ｂ  上部（上端部）
【図１】
2010195460.tif 000003
【図２】
2010195460.tif 000004
【図３】
2010195460.tif 000005
【図４】
2010195460.tif 000006
【図５】
2010195460.tif 000007